(57)【特許請求の範囲】
【請求項１】
画像を多数の微小な画素に分解し、一つもしくは複数の光源から画素濃度に対応した強度の光束を射出し、この光束による輝点を閾値以上の光量密度の光が照射されることにより感光して表面電位変化や化学的変化等の潜像が形成されるか、または感光することによって直ちに濃度変化を持つ画像が形成される画像記録媒体等の上を走査し、各画素領域を順次感光させることによって画像を書き込む光書き込み装置において、
前記光源と前記画像記録媒体等との間に、
光束を集束させる光集束素子部と、
光束が集束された位置に設けられた第１の微小な開口部と、
前記第１の微小な開口部より射出した光束を概ね画素の大きさと同程度の限られた領域内に拡散させる光拡散素子部と、
前記光拡散素子部で拡散された光を射出する複数の開口部からなる第２の微小な開口部群と、
前記第２の微小な開口部群より射出された複数の光束を前記画像記録媒体等の上に別個の輝点として結像させる結像素子部と、
の順で光源側より配置され、
前記第２の微小な開口部群は、前記第１の開口部の概ね中心に配置された開口部と、該開口部の周りに配置された一つもしくは複数の開口部からなり、
前記第２の微小な開口部群のうち前記第１の開口部の概ね中心に配置された開口部から射出された輝点の光量密度が、その他の第２の微小な開口部から出射された輝点の光量密度に比べ高いことを特徴とする光書き込み装置。
【請求項２】
前記第２の微小な開口部群は、画素領域の概ね中心に配置された相対的に大きな直径の開口部と、その周りに一つもしくは複数の輪帯状に配置された開口部からなり、より外周にある輪帯に属する開口部ほど相対的に小さな直径を有するように形成されていることを特徴とする請求項１に記載の光書き込み装置。
【請求項３】
光書き込み用の光源として、発光ダイオード素子が直線状に画素と同じ密度で配列された発光ダイオードアレイを用い、
前記光集束素子部として、個々の発光ダイオード素子の発光領域の上部に設けられた発光領域と対向する位置に射出部を有する球状、半球状、超半球形状、円錐形状等のミラーアレイを用い、
前記第１の微小な開口部は、前記ミラーアレイの射出部に設けられた第１のピンホールアレイからなり、
前記光拡散素子部として、第１のピンホールアレイに対応して設けられた球状、半球状、超半球形状、円錐形状等の積分球アレイを用い、
前記第２の微小な開口部群は、前記積分球アレイ上の第１のピンホールアレイと対向する位置に設けられ、それぞれ複数のピンホール群が配列された第２のピンホールアレイからなり、
前記結像素子部として、等倍結像素子アレイを用いたことを特徴とする請求項１または２に記載の光書き込み装置。
【請求項４】
光書き込み用の光源として、コリメートしたレーザ光を回転するポリゴンミラーにより偏向して画像記録媒体上を走査するポリゴンスキャナを用い、
前記光集束素子部として、前記ポリゴンミラーによりレーザ光が走査される方向である主走査方向に配列され、レーザ光の入射部と対向する位置に射出部を有し、レーザ光の入射部の方が射出部よりも大きな直径を持つ概ね円錐形状のミラーアレイを用い、
前記第１の微小な開口部は、前記ミラーアレイの射出部に設けられた第１のピンホールアレイからなり、
前記光拡散素子部として、前記第１のピンホールアレイに対応して設けられた球状、半球状、超半球形状、円錐形状等の積分球アレイを用い、
前記第２の微小な開口部群は、前記積分球アレイ上の第１のピンホールアレイと対向する位置に設けられ、それぞれ複数のピンホール群が配列された第２のピンホールアレイからなり、
前記結像素子部として、等倍結像素子アレイを用いたことを特徴とする請求項１または２に記載の光書き込み装置。
【請求項５】
前記第１の微小な開口部もしくは前記第２の微小な開口部群の各々の開口部もしくはその両方にマイクロレンズが形成されていることを特徴とする請求項１〜４のいずれか一項に記載の光書き込み装置。
【請求項６】
請求項１〜５のいずれか一項に記載の光書き込み装置が複数内蔵され、カラー画像をイエロー、マゼンタ、シアン、ブラック、もしくはレッド、グリーン、ブルーに色分解して、各色を書き込む光書き込み装置によりこれらを同一の画像記録媒体等に順次書き込み、もしくは各色個別の画像記録媒体等に書き込んだ後、各色の画像を重ね合わせる手段によって重ねてカラー画像を出力するカラー画像出力装置において、
イエロー、マゼンタ、シアン、ブラック、もしくはレッド、グリーン、ブルーの各色の光書き込み装置のそれぞれの第２の微小な開口部群は、その個々の開口部の配置パターンがイエロー、マゼンタ、シアン、ブラック、もしくはレッド、グリーン、ブルーの各色の間で互いに同じにならないように配置位置もしくは配置角度をずらして設けられていることを特徴とするカラー画像出力装置。
【発明の詳細な説明】
【０００１】
【発明の属する技術分野】
本発明は、光書き込み装置およびこれを用いたカラー画像出力装置に係り、更に詳しくは、画像を多数の微小な画素に分解し強度強調した光束による輝点を画像記録媒体等の上に走査して各画素領域を順次感光させることにより画像を書き込む光書き込み装置およびこれを複数内蔵しカラー画像を出力するカラー画像出力装置に関する。
【０００２】
【従来の技術】
従来、電子写真方式によるプリンタなどのように、輝点を感光体上に走査して画像を再生する画像出力装置において、ハーフトーンイメージを再現する場合には、画像を構成する画素を更に細かいスポットの集合体として再現し、そのスポットの点の数を増減することなどにより濃度変化を作り出していた。
【０００３】
この種の画像出力装置としては、例えば、特開平６─１３３１５６号公報の「ディジタルハーフトーン用特定回転スクリーン」や特表平８─５０６７０４号公報の「電子写真印刷装置用の高品質マトリクスプリントを発生させるための方法および装置」などに開示されたものがある。これらの公報例によると、なめらかなハーフトーンを再生するためには、画像に含まれるもっとも微細な線画を再現するのに必要な分解能よりも細かく画像を分割する必要がある。例えば、画像の線画情報を再生するのに必要な画素密度が６００ｄｐｉ（１インチ当たりの画素数が６００ドット）であった場合に、なめらかな階調として一つの目安である一つの画素に６５レベルの濃度変化を持たせられる階調性を実現するためには、１画素を８×８のマトリクスに分割する必要があるので、書き込みに必要な書き込み分解能は６００×８＝４８００ｄｐｉとなる。この分解能による光書き込みは、現状でも不可能ではないが、このように高い分解能を有する画像出力装置は、現状の最高レベル（ｓｔａｔｅ─ｏｆ−ｔｈｅ−ａｒｔ）の精度を有する光書き込み装置であった。
【０００４】
【発明が解決しようとする課題】
しかしながら、このような光書き込み装置にあっては、一般に使用する場合に以下に述べるような問題があった。
すなわち、画像を極めて微細な領域に分割する必要があるので、画像処理の計算に必要な時間が増大するという問題がある。そこで、画像処理の計算時間を短縮するためには、より高速のプロセッサを備えた電子計算機を内蔵させる必要があるが、現状では画像出力装置に内蔵できる程度の小型の電子計算機では処理能力に限界があり、４８００ｄｐｉの画素分割を６００ｄｐｉと同程度の時間内に行うことは困難であった。もちろん将来的には技術開発が進んで画像出力装置に内蔵できる小型電子計算機で上記程度の計算時間の短縮が可能な高速プロセッサが使われることも考えられるが、そのような高速プロセッサを使うことによる装置コストの上昇という新たな問題を生じる。
【０００５】
また、書き込み用の光スポットを書き込み領域全てにおいて５μｍ以下のサイズに集光する必要があるが、このようなスポットサイズをポリゴンスキャナで実現するためには、複屈折の非常に少ないガラスレンズからなる光学系を用いる必要があり、現在一般用途で主に用いられているプラスチックレンズを使用したポリゴンスキャナは使用することができなくなる。しかし、ガラスレンズを用いた光学系は、プラスチック光学系に対して非常に高価であるので、装置コストが上昇するという問題があった。
【０００６】
また、ポリゴンスキャナの場合、走査幅の端部ではスポットの崩れが生じ易くなるため、画像の端においてもスポットサイズを５μｍ以下とするには、ポリゴンミラーによる偏向角度をあまり大きくすることができなかった。このため、同じサイズの画像を書き込む際に、偏向角度を小さくした書き込み装置を低分解能の書き込み装置と比較すると光路長が長くなるため、これを用いた画像出力装置が大型化するという問題があった。
【０００７】
また、ポリゴンスキャナの場合、光路長が長くなると光学系の機械的な歪みによる光スポットの位置ずれが起き易くなるため、感光体上でのスポット位置の変動はスポットサイズに対して充分に小さくする必要がある。そこで、光学系の筐体の歪みを５μｍのスポットサイズに対して無視できる程度に小さく抑えるためには、装置剛性を非常に高める必要があるが、これによって装置が大型化し、重さも重くなってしまうという問題があった。
【０００８】
さらに、発光ダイオード（ＬＥＤ）アレイを書き込み用の光源としたプリンタヘッドの場合は、ＬＥＤの数が極めて多くなるため、素子コストが上昇するという問題があった。
【０００９】
また、高速のカラー画像出力装置で通常用いられている４ドラムのカラー書き込み方式による場合、４ドラム相互の画像位置ずれをスポットサイズに対して無視できる程度に小さくしなければならず、この例では概ね１μｍ程度の位置ずれしか許容されないことから媒体の搬送精度などを極めて高める必要がある。このため、装置が大型化して重くなると共に、高コストになってしまうという問題があった。特に、４ドラム方式の場合は、４個の光書き込み装置を用いることから、個々の光書き込み装置が大型化すると、装置全体ではさらに大型化するという問題があった。
【００１０】
このように、現在では、画像を電子情報の段階で充分に細かい画素に分割し、ハーフトーンマトリックスを高精細な光書き込み装置により画像記録媒体等に書き込むことによって、視覚上問題のないなめらかなハーフトーンを再現する画像出力装置を試作的に作成することは可能であるが、装置が大型化してしまい、高価となるためこれを工業製品として広く普及させることが困難であった。
【００１１】
また、書き込み速度を上げるためには上記したような機構上の限界があり、スポットサイズが微小になることによって書き込む画素数が膨大となることから、単純な線画を出力する場合であっても長い書き込み時間が必要になってくるという問題があった。
【００１２】
本発明は、上記課題に鑑みてなされたものであり、美しいハーフトーンイメージを高速かつ低コストで再現することができると共に、線画についても高速かつ良好に再現することが可能な光書き込み装置およびカラー画像出力装置を提供することを目的とする。
【００１３】
【課題を解決するための手段】
上記の目的を達成するために、請求項１に記載の発明は、画像を多数の微小な画素に分解し、一つもしくは複数の光源から画素濃度に対応した強度の光束を射出し、この光束による輝点を閾値以上の光量密度の光が照射されることにより感光して表面電位変化や化学的変化等の潜像が形成されるか、または感光することによって直ちに濃度変化を持つ画像が形成される画像記録媒体等の上を走査し、各画素領域を順次感光させることによって画像を書き込む光書き込み装置において、前記光源と前記画像記録媒体等との間に、光束を集束させる光集束素子部と、光束が集束された位置に設けられた第１の微小な開口部と、前記第１の微小な開口部より射出した光束を概ね画素の大きさと同程度の限られた領域内に拡散させる光拡散素子部と、前記光拡散素子部で拡散された光を射出する複数の開口部からなる第２の微小な開口部群と、前記第２の微小な開口部群より射出された複数の光束を前記画像記録媒体等の上に別個の輝点として結像させる結像素子部と、の順で光源側より配置され、前記第２の微小な開口部群は、前記第１の開口部の概ね中心に配置された開口部と、該開口部の周りに配置された一つもしくは複数の開口部からなり、前記第２の微小な開口部群のうち前記第１の開口部の概ね中心に配置された開口部から射出された輝点の光量密度が、その他の第２の微小な開口部から出射された輝点の光量密度に比べ高くしたものである。
【００１４】
これによれば、画像を多数の微小な画素に分解し、一つもしくは複数の光源から画素濃度に対応した強度の光束を射出し、その光源と画像記録媒体等との間に、光集束素子部、第１の微小な開口部、光拡散素子部、第２の微小な開口部群、および結像素子部の順で配置して、１つの画素に書き込む光スポットをより細かな小スポットの集合体に分割し、その分割された小スポットによって感光する画像記録媒体上の総合の面積を書き込む光の強度によって変化させるようにしたため、美しいハーフトーン画像や線画を高速かつ低コストで画像記録媒体等の上に書き込むことができる。
【００１５】
このような構成を見い出すに当たって、本発明者らは、ハーフトーン画像について詳細に検討し、その結果、なめらかなハーフトーンを生成するためには必ずしも高解像度の画像データは必要なく、画像記録媒体上に記録される点状の感光領域が充分に微細になっていれば視覚的になめらかさが感じられることに着目した。このため、電子計算機に頼った従来のハーフトーン生成方法を単に改良するのではなく、画素を書き込む光ビームを画像記録媒体の表面に到達する前段階において光学的手段により多数の微小な光ビームに分割する機能と、微小な光ビームにより露光される画像記録媒体上の感光領域を統合した面積、すなわち生成された画像においては画素の平均濃度を元の光ビーム強度を変化させることによって増減させる機能とにより、なめらかなハーフトーンを生成するようにしたものである。
【００１６】
本発明の光書き込み装置の対象となる画像記録媒体等とは、書き換え可能な記録媒体や一度記録すると書き換えができない記録媒体、および随時連続して画像が書き込まれる画像表示器のような媒体などを含み、光書き込み装置により画像が形成される媒体等のほとんどのものを指している。例えば、その画像記録媒体等の具体例としては、▲１▼可視光および紫外線もしくは赤外線の露光により引き起こされる材質の相変化もしくは可逆的な化学変化等によって画像が形成され、必要に応じて特定の波長および強度の光を照射すること、特定の強度および方向の磁界を加えること、特定の温度変化を加えることなどにより、その画像を消去することができて、繰り返し使用することができる画像記録媒体、▲２▼電子写真感光体、▲３▼銀塩写真法による黒白およびカラーのフィルムまたは感光紙、▲４▼その他の光化学反応による感光材料を用いた記録媒体等のいわゆる感光体である。また、この他に、▲５▼液晶材料層と駆動電極の間に光導電材料層が配置され光導電材料層への書き込み光照射により、その部位の光導電材料を導通状態として液晶層に部分的に電界が印加されるようにして画像を書き込む形式の液晶表示器などのように、光導電効果などを仲立ちとして直ちに濃度変化を持つ画像を形成する表示器などが含まれる。本発明の光書き込み装置は、これら全ての画像記録媒体等に対して良好なハーフトーン画像を書き込むことができる。
【００１７】
また、請求項２に記載の発明は、請求項１に記載の光書き込み装置において、前記第２の微小な開口部群は、画素領域の概ね中心に配置された相対的に大きな直径の開口部と、その周りに一つもしくは複数の輪帯状に配置された開口部からなり、より外周にある輪帯に属する開口部ほど相対的に小さな直径を有するように形成されているものである。
【００１８】
これによれば、第２の微小な開口部群が画素領域の概ね中心に配置された開口部と、その周り配置された開口部とからなる場合に、より外周にある開口部ほど相対的に小さな直径を有するように形成したため、画素領域の平均濃度変化がなめらかになって、優れたハーフトーン再現性を実現することができる。
【００１９】
また、請求項３に記載の発明は、請求項１または２に記載の光書き込み装置において、光書き込み用の光源として、発光ダイオード素子が直線状に画素と同じ密度で配列された発光ダイオードアレイを用い、前記光集束素子部として、個々の発光ダイオード素子の発光領域の上部に設けられた発光領域と対向する位置に射出部を有する球状、半球状、超半球形状、円錐形状等のミラーアレイを用い、前記第１の微小な開口部は、前記ミラーアレイの射出部に設けられた第１のピンホールアレイからなり、前記光拡散素子部として、第１のピンホールアレイに対応して設けられた球状、半球状、超半球形状、円錐形状等の積分球アレイを用い、前記第２の微小な開口部群は、前記積分球アレイ上の第１のピンホールアレイと対向する位置に設けられ、それぞれ複数のピンホール群が配列された第２のピンホールアレイからなり、前記結像素子部として、等倍結像素子アレイを用いたものである。
【００２０】
これによれば、光書き込み用の光源として発光ダイオードアレイ（ＬＥＤＡ）を用いた場合、光集束素子部として個々の発光ダイオード素子の発光領域の上部に設けられた発光領域と対向する位置に射出部を有する球状、半球状、超半球形状、円錐形状等のミラーアレイを用い、第１の微小な開口部は第１のピンホールアレイとし、光拡散素子部は第１のピンホールアレイに対応して設けられた球状、半球状、超半球形状、円錐形状等の積分球アレイとし、第２の微小な開口部群は積分球アレイ上の第１のピンホールアレイと対向する位置に複数のピンホール群を配列した第２のピンホールアレイとし、結像素子部として等倍結像素子アレイを用いたため、発光ダイオードアレイを光書き込み光源に用いた場合であっても、種々の画像記録媒体等に対して良好なハーフトーン画像を書き込むことができる。
【００２１】
本発明の結像素子部としては、対象とする画像記録媒体の特性に応じて適切なものを選択すればどのようなものであっても良い。例えば、画像記録媒体が比較的幅の狭いシート状のものであって、そのシートを時間により長手方向に送って画像を書き込む場合であれば、通常の光学レンズを組み合わせた等倍結像光学系が用いられる。また、電子写真感光体へ書き込む場合であれば、この分野で通常使用されている等倍結像素子の大部分が使用可能である。例えば、屈折率分布型のファイバ形状等倍結像レンズを多数直線状に配列したレンズアレイとして、例えば、マイクロオプト株式会社製のセルフォックレンズアレイ、あるいは、多数の等倍結像微少光学系を多数配列したものとして、例えば、株式会社リコー社製のルーフミラーレンズアレイなどを使用することができる。
【００２２】
また、請求項４に記載の発明は、請求項１または２に記載の光書き込み装置において、光書き込み用の光源として、コリメートしたレーザ光を回転するポリゴンミラーにより偏向して画像記録媒体上を走査するポリゴンスキャナを用い、前記光集束素子部として、前記ポリゴンミラーによりレーザ光が走査される方向である主走査方向に配列され、レーザ光の入射部と対向する位置に射出部を有し、レーザ光の入射部の方が射出部よりも大きな直径を持つ概ね円錐形状のミラーアレイを用い、前記第１の微小な開口部は、前記ミラーアレイの射出部に設けられた第１のピンホールアレイからなり、前記光拡散素子部として、前記第１のピンホールアレイに対応して設けられた球状、半球状、超半球形状、円錐形状等の積分球アレイを用い、前記第２の微小な開口部群は、前記積分球アレイ上の第１のピンホールアレイと対向する位置に設けられ、それぞれ複数のピンホール群が配列された第２のピンホールアレイからなり、前記結像素子部として、等倍結像素子アレイを用いたものである。
【００２３】
これによれば、光書き込み用の光源として、レーザ光により画像記録媒体上を走査するポリゴンスキャナを用いた場合、光集束素子部を主走査方向に配列し、レーザ光の入射部と対向する位置に射出部を有し、レーザ光の入射部が射出部よりも大きな直径を持つ概ね円錐形状のミラーアレイとし、第１の微小な開口部はミラーアレイの射出部に設けられた第１のピンホールアレイとし、光拡散素子部は第１のピンホールアレイに対応して設けられた球状、半球状、超半球形状、円錐形状等の積分球アレイとし、第２の微小な開口部群は積分球アレイ上の第１のピンホールアレイと対向する位置に設けてそれぞれ複数のピンホール群が配列された第２のピンホールアレイとし、結像素子部として等倍結像素子アレイを用いたため、ポリゴンスキャナを光書き込み用の光源に用いた場合であっても、種々の画像記録媒体等に対して良好なハーフトーン画像を書き込むことができる。
【００２４】
請求項４の構成によれば、ポリゴンスキャナによる光書き込みには従来不要であった等倍結像素子アレイが新たに必要となるため装置が複雑化する反面、この光書き込み装置に用いるポリゴンスキャナはそれほど光学的精度が要求されないことから、従来の高精度なポリゴンスキャナを用いた光書き込み装置よりも、全体として低コスト化できるという利点がある。
【００２５】
すなわち、従来のように高精度なポリゴンスキャナのみによって高分解能の光書き込みを行うためには、感光体状での光ビームの軌跡の直線からのずれをその分解能において問題とならない程度に小さくしなければならない。例えば、２４００ｄｐｉの光書き込みを行う際は、走査ライン間隔が１０μｍ程度であるから光ビームの軌跡は概ねその１／５である±１μｍ以下の位置ずれを加えた幅の中に収まっていなければならなかった。そのため、光学系における複屈折を極めて小さくすること、屈折率分布を極めて小さくすること、光ビームの位置ずれを引き起こす筐体の歪みおよび振動を非常に低減することが求められることから、高コストとなり、実際上これらのためにポリゴンスキャナでは高分解能化の点において限界に近づいている。
【００２６】
これに対して、請求項４の光書き込み装置に用いられるポリゴンスキャナは、光集束素子である円錐形ミラーなどに光が入るように走査すれば良いので、かなりの位置ずれが許容される。例えば、６００ｄｐｉの密度で配列された微少光学素子アレイを用い、光集束素子を円錐形ミラーとした場合は、一つの円錐形ミラーの光源側直径は、４２μｍ程度まで広げることができる。ポリゴンスキャナによる走査時は、この中に光ビームが入射すれば良いので、集光スポットが直径３０μｍ程度になっていれば±６μｍの位置ずれが許容されることになる。また、光集束素子の円錐ミラーが光ビームが走査される方向と直角の方向、すなわち副走査方向に長い直径を持った長円径の開口部を有していれば、さらに大きな位置ずれを許容することができる。このような特徴により、請求項４で用いられるポリゴンスキャナには、高精度の走査精度が不要であって、安価なユニットで充分である。また、請求項４の光書き込み装置における等倍結像素子と感光体間の位置ずれが小さく抑えられれば、画像の書き込み位置のずれが生じないため、この部分のみを強固に作成すれば良く、従来の高精度のポリゴンスキャナによる光書き込み装置のようにポリゴンスキャナの光学素子を保持する筐体全体を強固に製作する必要がなくなる。
【００２７】
このような理由により、構成としては確かに等倍結像素子が付加されて見かけ上の部品点数が増えるように思われるが、総合的なコストで見ると、従来の高分解能のポリゴンスキャナを用いた光書き込み装置よりも低コストとなり、かつ、生成されるハーフトーンのドットの細かさは従来困難であった程度に細かくすることができるため、従来以上のなめらかさでハーフトーンを再現することが可能となる。
【００２８】
また、請求項５に記載の発明は、請求項１〜４のいずれか一項に記載の光書き込み装置において、前記第１の微小な開口部もしくは前記第２の微小な開口部群の各々の開口部もしくはその両方にマイクロレンズが形成されているものである。
【００２９】
これによれば、第１の微小な開口部もしくは第２の微小な開口部群の各々の開口部もしくはその両方にマイクロレンズを形成するようにしたため、光書き込み光源の利用効率が高まることから、画像記録速度を大にすることができる。ただし、その分製造コストも付加されるので、特に画像記録速度を高速化する必要がない場合は、あえてマイクロレンズを設けないように選択することもできる。
【００３０】
また、請求項６に記載の発明は、請求項１〜５のいずれか一項に記載の光書き込み装置が複数内蔵され、カラー画像をイエロー、マゼンタ、シアン、ブラック、もしくはレッド、グリーン、ブルーに色分解して、各色を書き込む光書き込み装置によりこれらを同一の画像記録媒体等に順次書き込み、もしくは各色個別の画像記録媒体等に書き込んだ後、各色の画像を重ね合わせる手段によって重ねてカラー画像を出力するカラー画像出力装置において、イエロー、マゼンタ、シアン、ブラック、もしくはレッド、グリーン、ブルーの各色の光書き込み装置のそれぞれの第２の微小な開口部群は、その個々の開口部の配置パターンがイエロー、マゼンタ、シアン、ブラック、もしくはレッド、グリーン、ブルーの各色の間で互いに同じにならないように配置位置もしくは配置角度をずらして設けられているものである。
【００３１】
これによれば、複数の光書き込み装置を用いてカラー画像出力装置を構成した場合に、イエロー、マゼンタ、シアン、ブラック（以下、ＹＭＣＫともいう）、もしくはレッド、グリーン、ブルー（以下、ＲＧＢともいう）の各色の光書き込み装置のそれぞれの第２の微小な開口部群を、個々の開口部の配置パターンがＹＭＣＫ、もしくはＲＧＢの各色の間で互いに同じにならないように配置位置や配置角度をずらして設けるようにしたため、各色のハーフトーンを形成するスクリーンパターンが互いに重ならなくなり、それぞれの色がマスクされにくくなることから、より彩度が高く、色濁りの少ない美しいカラー画像を再現することができる。
【００３２】
従来のカラー画像出力装置では、スクリーンパターンを生成する際に、各色において傾き角などを変えて計算させることによりパターンが重なる度合いを少なくするようにしていため、画像処理の計算時間の増加を招いていたが、本発明の光書き込み装置を用いたカラー画像出力装置の場合は、各色の光書き込み装置の第２の微小な開口部群のパターンを特定の配置として構成したので、特段の画像処理を行わなくても各色のドットの重なりを抑制することが可能となり、画像処理速度を低下させずに、色濁りの少ないカラー画像を再現することができる。
【００３７】
【発明の実施の形態】
以下、本発明の光書き込み装置およびこれを用いたカラー画像出力装置について、（実施の形態１）〜（実施の形態３）の順に添付の図面を参照して詳細に説明する。
【００３８】
（実施の形態１）
図１は、本実施の形態１の光書き込み装置において主要な働きをする微少光学素子部１０の構成を説明する図であり、（ａ）は平面図、（ｂ）は（ａ）のＡ−Ａ´線断面図である。図１（ｂ）に示されるように、微少光学素子部１０は、円錐ミラーなどからなる光源からの光束を集束させる光集束素子部１２と、その光集束素子部１２で光束が集束される頂上位置設けられ、光集束素子部１２で集光された書き込み光ビームを微少な一つの光スポットに生成する第１の微小な開口部１４と、第１の微小な開口部１４から射出される射出光を入射させて、概ね一つの画素に相当する限られた容積の中に拡散させる微少な積分半球１８を持った光拡散素子部１６と、第１の微小な開口部１４と対向する光拡散素子部１６の頂上位置の部に設けられ、光拡散素子部１６で拡散された拡散光を複数の微少な開口（ピンホール）から射出させることにより、一つの画素を書き込む光ビームから複数の微少な光スポットを生成する第２の微小な開口部群２０，２２などで構成されている。
【００３９】
図２は、本実施の形態１の光書き込み装置３０の全体構成図である。図２に示されるように、光書き込み装置３０は、一つの画素を書き込む光ビーム３２から複数の微少な光スポットを生成する光集束素子部１０と、その光集束素子部１０によって生成された複数の光スポットを画像記録媒体３６上に結像させる等倍結像素子３４とで構成されている。
【００４０】
そして、この光書き込み装置３０は、第２の微小な開口部群２０，２２の形状および配置を工夫することにより、書き込み光ビーム３２の強度によって生成されるパターンを画像濃度に応じて変化させるようにすることができる。
【００４１】
次に、その機構について説明する。図３は、本実施の形態１の光書き込み装置を用いて書き込み光ビームの光強度が大きい場合に画像記録媒体上に結像される光スポットの光量分布を示す線図であり、横軸に線Ａ−Ａ´上の位置を示し、縦軸に画像記録媒体上の光量密度を任意のスケールで示している。図４は、図３の結果の画像記録媒体上に形成される光スポットの形状パターンを示す図である。図５は、本実施の形態１の光書き込み装置を用いて書き込み光ビームの光強度が小さい場合に画像記録媒体上に結像される光スポットの光量分布を示す線図であり、図６は、図５の結果の画像記録媒体上に作成される光スポットの形状パターンを示す図である。
【００４２】
そこで、図１に示した微少光学素子部１０は、説明を簡単にするため、一つの比較的大きなピンホール２０の周りに相対的に小さな直径のピンホール２２が４個配置された第２の微小な開口部群２０，２２を備えた構造を示している。この微少光学素子部１０を用いた光書き込み装置３０によって画像記録媒体３６上に照射される光スポットの形状は、書き込み光ビーム３２の強度が充分に大きいと図３の線図のような光量分布を示すため、図中の画像記録媒体の光量レベルと記した破線よりも上の光量密度の照射を受けた領域で感光するように画像生成プロセスを設定すると、出力される画素のパターンが図４のようになる。このように、書き込み光ビーム３２の強度が充分に大きい場合は、一つの画素を書き込む光ビームから画像処理によるスクリーンマトリックスで生成されるようなスクリーンパターンを生成することができる。
【００４３】
また、書き込み光ビームの光強度を減じた場合は、図５の線図のような光量分布となるため、図中の画像記録媒体の光量レベルと記した破線よりも上の光量密度の照射を受けた領域で感光するように画像生成プロセスを設定すると、出力される画素のパターンが図６のようになる。このように、書き込み光ビーム３２の強度が小さい場合は、一つの画素を書き込む光ビームから一つの微少なドットパターンが生成されることになる。
【００４４】
また、上記２つの中間の光量が照射される状態では、周りを取り囲んでいるピンホールによる光スポットの直径が徐々に変化して感光領域の総面積が変化し、画素領域の平均濃度が連続的に変化することになる。これによってなめらかなハーフトーン部分を形成することが可能となる。
【００４５】
上述の場合は、説明を簡単にするため単純なパターンの開口群を例にあげて説明したが、通常の分解能である６００ｄｐｉの光書き込み光源を使用した場合の画素間隔は、４２．３μｍ程度であり、第２の微小な開口部群の開口系はフォトレジストプロセスによって１μｍ程度の直径とすることも困難ではない。従って、一つの画素領域の中に多くの開口を含めることができるので、視覚上認識できない程度の細かいスクリーンパターンを生成することが可能となり、画像の観察者にはなめらかなハーフトーンとして認識されることになる。
【００４６】
このように構成した光書き込み装置は、より細かい分解能を持った光書き込み装置によってスクリーンパターンを画像記録媒体に書き込む場合と異なり、別個の小さなスポットにより分離できる最大の分解能で線画を書き込むことはできない。これは、本実施の形態１の光書き込み装置では、通常レベルの分解能の光書き込み装置の画素を分割して、小さな書き込みスポットとしているからである。
【００４７】
しかし、実際上は現在の通常の分解能である６００ｄｐｉ程度の分解能で日常必要なほとんどの線画画像を再現することが可能であって、これ以上の分解能で線画を書き込んだとしても肉眼でよほど注意しなければ分離した線を認識することができず、ごく特殊な用途を除いては無意味である。それにも関わらず６００ｄｐｉ以上の光書き込み装置が必要とされている理由は、画像の濃度階調を視覚に認識できないスクリーンパターンで書き込む必要があるという点だけの理由による。このため、細かい分解能を持った従来の光書き込み装置は、非常に高精度な作成技術が要求され、高コストである上、画像処理に要する計算時間が増大するにも関わらず、必ずしもなめらかなハーフトーンが充分に再現されているとはいえなかった。
【００４８】
これに対して、本実施の形態１の光書き込み装置の場合は、上記のように通常の分解能の光書き込み光源を用いながら視覚では認識できない程度に細かいスクリーンパターンを生成することが可能であって、現状でその装置を作成する技術がほぼ完成しているため、低コストな通常の分解能の光書き込み光源を用いて従来は不可能であったなめらかなハーフトーンを再現することができる。
【００４９】
また、本発明者らは、本実施の形態１に係る光書き込み装置では、第２の微小な開口部群の形状および配置がその性能を大きく左右することが分かっているので、この点について種々の実験を行って望ましい形状および配置を探索した結果、以下のことが判明した。
【００５０】
すなわち、第２の微小な開口部群が画素領域の概ね中心に配置された相対的に大きな直径の開口部と、その周りに一つもしくは複数の輪帯状に配置された開口部からなる場合に、その配置パターンは、より外周にある輪帯に属する開口部ほど相対的に小さな直径を有するように形成することにより、画素領域の平均濃度変化がなめらかになって、優れたハーフトーン再現性が実現できることがわかった。
【００５１】
以上述べたように、本実施の形態１の光書き込み装置によれば、美しいハーフトーンや線画を低コストで処理時間が増大することなく再現することができる。
【００５２】
（実施の形態２）
本実施の形態２は、光書き込み用の光源として発光ダイオードアレイ（以下、ＬＥＤＡともいう）を用いて光書き込み装置を作成し、これをＹＭＣＫの各色の書き込みに用いてカラー画像出力装置を製作した場合である。
【００５３】
まず、実施の形態２のカラー画像出力装置に用いられる光書き込み素子の製造工程について説明する。図７は、本実施の形態２において光書き込み光源としてＬＥＤＡを用いた光書き込み装置の微少光学素子アレイ部４０を上から見た平面図であり、図８は、図７のＢ−Ｂ´線断面図である。
【００５４】
図８に示すように、光書き込み光源が必要な分解能と同じ密度で配列された個別の発光領域がアレイ状に形成され、ＬＥＤＡ発光部５６を構成している。そして、そのＬＥＤＡ発光部５６上にそれぞれ配置される光集束素子部としての円錐ミラーアレイ５４は、以下の手順によって作成される。
【００５５】
まず、石英ガラス基板を厚さ４０μｍに研磨し、平坦度の良いガラス板に熱可塑性樹脂により張り付け、その石英ガラス基板上にフォトレジストを塗布する。このフォトレジストは、ここでは東京応化株式会社製の「ＯＦＰＲ８６００」を使用し、厚さが３μｍになるようにスピンコート法により塗布する。
【００５６】
そして、このフォトレジストに２０μｍの直径を有する円形の開口が４２．３μｍピッチ（６００ｄｐｉ）で直線状に配列されたパターンを焼き付けて、通常の現像工程と、リンス工程とを施して同形状のレジストマスクを形成する。ここで、基体となるガラス板がエッチング液で侵されないように、裏面および周囲をマスキングした後、希フッ酸溶液中でエッチングするようにした。この場合のエッチング時間は、石英ガラス基板が貫通し、５μｍの直径の開口部が形成され、基体のガラス板が露出する時点を観察して定めるようにした。この時、アンダーカットによって上部の直径が拡大することを利用し、上部の直径が４０μｍ、下部の直径が５μｍのテーパー形状の開口が４２．３μｍのピッチで直線状に配列されたアレイを得ることができる。ここで得られるテーパー形状は、エッチング液の温度とフッ酸濃度、および攪拌の頻度を調節することにより制御した。
【００５７】
次に、基体となるガラス板に張り付けたままの状態でエッチングマスクを除去し、真空蒸着装置により石英ガラス基板に金（Ａｕ）を７０００オングストロームの厚さに蒸着する。その後、ガラス板を加熱して、石英ガラス基板を取り外し、有機溶剤により洗浄して貼り付けのために用いた熱可塑性樹脂を除去し、円錐形ミラーアレイ５４が形成された石英ガラス基板４２を完成させることができる。この石英ガラス基板４２は、６００ｄｐｉのＬＥＤＡ発光部５６に対して、その発光部と小さい開口部の中心を一致させ、大きな開口部をＬＥＤＡ発光部５６の基板面に向けて熱硬化性樹脂により接着し、円錐形状ミラーアレイ５４の小さい方の開口部を第１の微小な開口部４４として用いるようにする。
【００５８】
次いで、光拡散素子アレイ部４６は、以下の手順によって作成される。すなわち、石英ガラス基板を厚さ４０μｍに研磨し、平坦度の良いガラス板に熱可塑性樹脂を用いて張り付け、石英ガラス基板上にフォトレジストを塗布する。この場合のフォトレジストも上記と同様の東京応化株式会社製の「ＯＦＰＲ８６００」を使用し、厚さが３μｍになるようにスピンコート法により塗布する。
【００５９】
そして、図９（ａ）〜（ｄ）は、ＹＭＣＫの各色毎の光書き込み装置に対応させて形成される第２の微小な開口部群（図７では、各色毎に異なったパターンとなるため便宜的に黒丸で表示する）５０，５２の一パターン例を示したものである。そこで、上記したフォトレジストには、図９（ａ）〜（ｄ）のいずれかの円形パターンの開口群を４２．３μｍピッチ（６００ｄｐｉ）で直線状に配列されたパターンを焼き付け、通常の現像工程と、リンス工程とを施して同形状のレジストマスクを形成する。ここでも、基体となるガラス板がエッチング液で侵されないように、裏面および周囲をマスキングした後、希フッ酸溶液中でエッチングする。この場合のエッチング時間は、石英ガラス基板が２μｍの深さにエッチングされる時間とした。
【００６０】
その後は、ガラス板を加熱して石英ガラス基板を取り外し、有機溶剤により洗浄して、ガラス板への貼り付けに用いた熱可塑性樹脂を除去する。
【００６１】
次いで、この石英ガラス基板を裏返して、再び平坦度の良いガラス板に熱可塑性樹脂により貼り付けて、石英ガラス上にフォトレジストを塗布する。このレジストも上記と同様のフォトレジストを使用し、厚さが３μｍになるようにスピンコート法により塗布する。
【００６２】
そして、このフォトレジストには、２０μｍの直径を有する円形の開口群が４２．３μｍピッチ（６００ｄｐｉ）で直線状に配列されたパターンを焼き付け、通常の現像工程と、リンス工程とを施して同形状のレジストマスクを形成する。ここでも、基体となるガラス板がエッチング液で侵されないように、裏面および周囲をマスキングした後、希フッ酸溶液中でエッチングした。この場合のエッチング時間は、石英ガラス基板がエッチングされ、先に形成しておいた裏面の開口部群が現れ、これらが貫通する時点を観察して定めるようにする。この場合、アンダーカットにより上部の直径が拡大することを利用し、上部の直径が４０μｍの半球状に近い形状の窪みを作成した。この窪みの形状は、エッチング液の温度とフッ酸濃度および攪拌の頻度を調節することにより制御する。
【００６３】
次に、基体となるガラス板に貼り付けたままの状態でエッチングマスクを除去し、真空蒸着装置により石英ガラス基板に金（Ａｕ）を７０００オングストロームの厚さに蒸着した。その際、アルゴンガスをリークすることによって蒸着時の圧力を高めることによって、蒸着された金の表面が光を拡散するのに適した梨地状となるようにする。その後、ガラス板を加熱して、石英ガラス基板を取り外し、有機溶剤により洗浄して貼り付けのために用いた熱可塑性樹脂を除去し、光拡散素子アレイ部４６が形成された石英ガラス基板を完成させることができた。そして、この石英ガラス基板を光集束素子部である円錐形ミラーアレイ５４が接着されたＬＥＤＡ発光部５６に対して、第１の微小な開口部４４と第２の微小な開口部群５０，５２のそれぞれのパターンの中心を一致させて熱硬化性樹脂により接着して、図７および図８に示したような光書き込み装置４０を完成した。
【００６４】
この光書き込み装置４０では、一つの画素についてほぼ３×３のパターンに相当する光ビームを生成することができるため、ハーフトーンの再生については、１８００ｄｐｉの光書き込み装置に相当することになる。ここでは、光書き込み装置の等倍結像素子（図２の等倍結像素子３４を参照）として、マイクロオプト株式会社製のＳＬＡ１２Ｄを用いている。そして、これらをＹＭＣＫ画像を独立した感光体ドラムにより転写ベルトにトナー画像を形成して普通紙に転写定着する方式（４ドラム方式）の複写機に搭載し、濃度が連続的に変化したテストパターンを出力するようにした。
【００６５】
また、これに対する比較例として、上記実施の形態２で使用した複写機に１８００ｄｐｉの分解能のＬＥＤＡを搭載して同じテストパターンを出力するようにした。
【００６６】
これら両者の出力画像を比較評価する際の評価項目は、機器の製造コストと再現されたハーフトーン画像を視覚により評価したものであり、その結果を図１０に示してある。
【００６７】
図１０の画像評価結果において、高解像度のＬＥＤＡを使用した場合の評価結果が不良であるのは、ＬＥＤＡにおいて一般的な製造プロセスのわずかなむらによって、ＬＥＤＡの各発光領域の間で発光量にむらが生じるため、電流補正によって発光光量の補正を行うが、高解像度のＬＥＤＡでは、発光領域が極めて小さくなっていることから、一つの画素の発光光量が小さく、相対的に製造プロセスのむらによる光量変動の方が大きくなって、充分に補正することができなくなるためと考えられる。
【００６８】
これに対して、本実施の形態２における複数の光書き込み装置を使用したカラー画像出力装置の場合は、安定した特性を持つ低い解像度のＬＥＤＡを使用するため、むらの少ない画像が得られる上、高解像度のＬＥＤＡを使用した場合と同程度の細かさでハーフトーンスクリーンを生成することができることから、むしろ高解像度のＬＥＤＡを使用した場合よりも良好な画像評価が得られたものと考えられる。
【００６９】
（実施の形態３）
本実施の形態３は、光書き込み用の光源としてポリゴンスキャナを用いて光書き込み装置を作成し、これをＹＭＣＫの各色の書き込みに用いてカラー画像出力装置を製作した場合である。この装置は、主に電子写真感光体への光書き込みに適している。
【００７０】
この構成による光書き込み装置を実現する場合は、通常は感光体が配置されているポリゴンスキャナの光ビームの集束位置に光集束素子部を設ければ良い。その他については、上記した実施の形態２のＬＥＤＡ光源に対する構成とほぼ同様である。
【００７１】
本実施の形態３のカラー画像出力装置に用いる光書き込み装置は、以下の手順により作成される。まず、等倍結像素子７２は、マイクロオプト株式会社製の「ＳＬＡ１２Ｄ」を用いることとし、両面を平坦に研磨して厚さをＳＬＡ１２Ｄの作動距離と等しい４ｍｍとした幅１０ｍｍのガラス板７０を用意した。ここでは、実施の形態２と同様のフォトリソグラフィ工程によって、第２の微小な開口部群のパターンが形成された光拡散素子アレイ部を作成し、これらのパターンをＹＭＣＫの各色毎の光書き込み装置に対応させて用いるようにする。ただし、実施の形態２では図９（ａ）〜（ｄ）のパターンを用いて実施したが、本実施の形態３では、図１２（ａ）〜（ｄ）に示した各パターンを用いて実施するようにする。
【００７２】
このように、第２の微小な開口部群が形成された面をガラス板７０に向けて接着した後、実施の形態２と同様のフォトリソグラフィ工程によって光集束素子アレイ部を作成し、第１の微小な開口部が形成された面を上記した光拡散素子アレイ部に向けると共に、その中心を一致させてこれらを接着することにより、微少光学素子アレイ部６８が完成する。
【００７３】
次いで、ガラス板のもう一方の面に等倍結像素子アレイ７２であるＳＬＡ１２Ｄを上記形成した微少光学素子アレイ部６８とその中心線を一致させて接着させる。
【００７４】
このようにして、棒状のガラス板７０の両面に等倍結像素子アレイ７２と微少光学素子アレイ部６８とが所定の動作距離を保って結合された光書き込み装置の主要なユニットを作成した。
【００７５】
そして、図１１に示すように、光書き込み用の光源としてポリゴンスキャナを用いた光書き込み装置６０を作成し、レーザ６２から照射されるレーザ光７６を高速回転するポリゴンミラー６４で反射させて偏向しながら走査を行い、光学系６６および上記ユニット（ガラス板７０、等倍結像素子アレイ７２、微少光学素子アレイ部６８）通過した光が画像記録媒体７４の表面に結像するように構成されている。
【００７６】
以上説明したように、微少光学素子アレイ部６８に形成された第２の微小な開口部群は、図１２に示されるように、４×４のパターンで構成したため、この光書き込み装置は、２４００ｄｐｉに相当するハーフトーンスクリーンを再現することが可能となる。これを上記した実施の形態２と同様の複写機に組み込み、ポリゴンスキャナによる走査光を光集束素子部に当てて濃度が連続的に変化するテストパターンを出力するようにした。なお、ここで用いているポリゴンスキャナは、通常の６００ｄｐｉの解像度に適合する安価なものを使用している。
【００７７】
また、これに対する比較例として、上記実施の形態２で使用した複写機に２４００ｄｐｉの分解能のポリゴンスキャナを搭載して同じテストパターンを出力した。
【００７８】
これら両者の出力画像を比較評価する際の評価項目は、機器の製造コストと装置容積とを比較評価したものであり、その結果を図１３に示した。画像評価結果については、図１３では比較を行っていないが、再現されたハーフトーン画像は視覚により評価したところ同程度のなめらかなカラー画像であった。
【００７９】
また、図１３における製造コストの比較では、高解像度スキャナの場合は極めて製造コストが高くなるのに対して、本実施の形態３のカラー画像出力装置では、安定した安価なポリゴンスキャナの使用が可能であるため、低コストで製造することができる。
【００８０】
さらに、ポリゴンスキャナの偏向角度が大きくとれることから個々の光書き込み装置を小型化することが可能となり、ＹＭＣＫによる複数の光書き込み装置からなるカラー画像出力装置を一層小型化することができる。
【００８１】
なお、上記各実施の形態では、第１の微小な開口部と第２の微小な開口部群とのいずれか一方、もしくは両方の開口部にマイクロレンズを設けるように構成しても良く、その場合には書き込み光ビームの利用効率が高まるため、画像記録速度を高めることができる。しかし、このマイクロレンズを開口部に設けるか否かは、光書き込み装置およびそれを用いたカラー画像出力装置の用途に応じて、製造コストと画像記録速度のどちらを優先させるかにより選択すれば良い。
【００８２】
また、上記各実施の形態では、図９および図１２の各パターンをそれぞれＹＭＣＫに当てはめて第２の微小な開口部群を形成するようにしたが、もちろんこれに限定されるものではなく、ＲＧＢの場合であっても同様に適用することができ、また、図９および図１２以外のパターンを用いて実施するものであっても勿論良い。
【００８３】
【発明の効果】
以上説明したように、請求項１に記載の発明によれば、高価な高解像度の光書き込み用の光源を用いずに、画像処理時間を増大させずに、なめらかなハーフトーン画像や線画を再現することができる。
【００８４】
請求項２に記載の発明によれば、画素領域の平均濃度変化がよりなめらかになって、優れたハーフトーン再現性を実現することができる。
【００８５】
請求項３に記載の発明によれば、発光ダイオードアレイを光書き込み光源に用いた場合であっても、種々の画像記録媒体等に対して良好なハーフトーン画像を書き込むことができる。
【００８６】
請求項４に記載の発明によれば、ポリゴンスキャナを光書き込み用の光源に用いた場合であっても、種々の画像記録媒体等に対して良好なハーフトーン画像を書き込むことができるとともに、低コスト化することができる。
【００８７】
請求項５に記載の発明によれば、光書き込み光源の利用効率が高まることから、画像記録速度を大にすることができる。
【００８８】
請求項６に記載の発明によれば、各色の光書き込み装置のそれぞれの第２の微小な開口部群を、個々の開口部の配置パターンがＹＭＣＫ、もしくはＲＧＢの各色の間で互いに同じにならないように配置位置や配置角度をずらして設けたため、色濁りの少ない美しいカラー画像を再現することができる。
【図面の簡単な説明】
【図１】本実施の形態１の光書き込み装置において主要な働きをする微少光学素子部の構成を説明する図であり、（ａ）は平面図、（ｂ）は（ａ）のＡ−Ａ´線断面図である。
【図２】本実施の形態１の光書き込み装置の全体構成図である。
【図３】本実施の形態１の光書き込み装置を用いて書き込み光ビームの光強度が大きい場合に画像記録媒体上に結像される光スポットの光量分布を示す線図である。
【図４】図３の結果の画像記録媒体上に形成される光スポットの形状パターンを示す図である。
【図５】本実施の形態１の光書き込み装置を用いて書き込み光ビームの光強度が小さい場合に画像記録媒体上に結像される光スポットの光量分布を示す線図である。
【図６】図５の結果の画像記録媒体上に作成される光スポットの形状パターンを示す図である。
【図７】本実施の形態２において光書き込み光源としてＬＥＤＡを用いた光書き込み装置の微少光学素子部を上から見た平面図である。
【図８】図７のＢ−Ｂ´線断面図である。
【図９】本実施の形態２で用いたＹＭＣＫの各色毎の光書き込み装置に対応させて形成される第２の微小な開口部群のパターンである。
【図１０】本実施の形態２に係るカラー画像出力装置と比較例との比較結果を示す図である。
【図１１】本実施の形態３に係るカラー画像出力装置の光書き込み装置の概略構成を説明する図である。
【図１２】本実施の形態３で用いたＹＭＣＫの各色毎の光書き込み装置に対応させて形成される第２の微小な開口部群のパターンである。
【図１３】本実施の形態３に係るカラー画像出力装置と比較例との比較結果を示す図である。
【符号の説明】
１０  微少光学素子部
１２  光集束素子部
１４  第１の微小な開口部
１６  光拡散素子部
１８  積分半球
２０，２２  第２の微小な開口部群
３０  光書き込み装置
３２  光ビーム
３４  等倍結像素子
３６  画像記録媒体
４０  微少光学素子アレイ部
４２  石英ガラス基板
４４  第１の微小な開口部
４６  光拡散素子アレイ部
４８  積分半球
５０，５２  第２の微小な開口部群
５４  円錐形状ミラーアレイ
５６  ＬＥＤＡ発光部
６０  光書き込み装置
６２  レーザ
６４  ポリゴンミラー
６６  光学系
６８  微少光学素子アレイ部
７０  ガラス板
７２  等倍結像素子アレイ
【図１】
0004118435.tif 000002
【図２】
0004118435.tif 000003
【図３】
0004118435.tif 000004
【図４】
0004118435.tif 000005
【図５】
0004118435.tif 000006
【図６】
0004118435.tif 000007
【図７】
0004118435.tif 000008
【図８】
0004118435.tif 000009
【図９】
0004118435.tif 000010
【図１０】
0004118435.tif 000011
【図１１】
0004118435.tif 000012
【図１２】
0004118435.tif 000013
【図１３】
0004118435.tif 000014